(57)【要約】【課題】静止画ファイル内の画像データの撮影日時を正確に保存する。【解決手段】記録装置は、テープ状記録媒体から動画像信号と前記動画像信号が前記テープ状記録媒体に記録された日時を示す記録日時情報とを再生する再生手段と、指示手段と、前記指示手段の指示に応じて前記再生手段により再生された動画像信号より１フレームの画像信号を抽出して静止画ファイルを生成すると共に、前記抽出した１フレームの画像信号の記録日時情報を前記静止画ファイルの記録日時情報として付加する静止画ファイル生成手段と、前記静止画ファイル生成手段により生成された静止画ファイルをメモリ装置に記録する記録手段とを備える。【選択図】　　　図２
2004072591.tif 000002
【特許請求の範囲】
【請求項１】
テープ状記録媒体から動画像信号と前記動画像信号が前記テープ状記録媒体に記録された日時を示す記録日時情報とを再生する再生手段と、
指示手段と、
前記指示手段の指示に応じて前記再生手段により再生された動画像信号より１フレームの画像信号を抽出して静止画ファイルを生成すると共に、前記抽出した１フレームの画像信号の記録日時情報を前記静止画ファイルの記録日時情報として付加する静止画ファイル生成手段と、
前記静止画ファイル生成手段により生成された静止画ファイルをメモリ装置に記録する記録手段とを備える記録装置。
【請求項２】
テープ状記録媒体から動画像信号と前記動画像信号が前記テープ状記録媒体に記録された日時を示す記録日時情報とを再生する再生手段と、
指示手段と、
前記指示手段の指示に応じて前記再生手段により再生された動画像信号より１フレームの画像信号を抽出して静止画ファイルを生成すると共に、前記抽出した１フレームの画像信号の記録日時情報または現在日時の情報のうちの一方を前記静止画ファイルの記録日時情報として付加する静止画ファイル生成手段と、
前記静止画ファイル生成手段により生成された静止画ファイルをメモリ装置に記録する記録手段とを備える記録装置。
【発明の詳細な説明】
【０００１】
【発明の属する技術分野】
本発明は記録装置に関し、時には静止画ファイルの記録日時の管理に関する。
【０００２】
【従来の技術】
従来、デジタルカムコーダにおいて、テープに記録された映像を静止画としてメモリカード（半導体メモリ）に記録することができる。
【０００３】
具体的には、テープに記録された映像を再生している際に静止画キャプチャボタンを押すと、その押した瞬間の１フレームのシーンがメモリカードに静止画として記録される。この時、その静止画の作成日付は、静止画を記録した日付（現在時刻）になる。このメモリカードをデジタルカムコーダから抜き、パソコンに接続して、中のデータを見ると、やはり日付は静止画を記録した日付になっている。
【０００４】
例えば、昨日撮影した画像をテープより再生しながらあるシーンを静止画としてメモリカードにキャプチャした場合、メモリカードに記録された静止画の記録日は今日になってしまう。
【０００５】
また、テープ中には、映像と音声の他にさまざまなデータを記録することが可能である。そのデータの中には、メーカ依存の撮影条件などを入れることができるが、撮影した日付データを共通のフォーマットで入れておくことも可能である。そのため、あるメーカのデジタルカムコーダで撮影された画像を記録したテープを、他のメーカのデジタルカムコーダで再生した場合にも、撮影日の日付データを取り出し表示することが可能である。
【０００６】
メモリカードにデータを記録する際には、メモリカードの中にファイルシステムというものが存在し（ファイルフォーマットが規定されており）、データをファイルという単位で記録し、データの他にそのデータのサイズやセキュリティ情報やファイルの作成日や修正日といったものが同時に関連付けられて記録される。例えば、メモリカードが着脱式で、デジタルカムコーダから抜き、コンピュータのメモリカードを読み取る装置によりその中のデータを読み取ると、ファイルの属性を表示するソフトウェア（たいていのオペレーティングシステムには付属で標準添付されている）によって、ファイルの作成日が簡単に閲覧できる。
【０００７】
通常ファイルの中身よりもこれらファイルの作成日などの情報の方が簡単に得ることができ、ユーザはこのファイル作成日をキーとして、ファイルの整理を行うことができる。
【０００８】
また、ファイルの中身が画像データであった場合は、画像フォーマット（画像データ）中に撮影日データが入っていたとすると取り出すのが簡単ではないが（専用ソフトウェアが必要）、撮影日データがファイルの作成日データであれば、より簡単に撮影日を知ることができる。
【０００９】
【発明が解決しようとする課題】
従来の技術では、デジタルカムコーダにおいて、テープに記録された映像を静止画としてメモリカードに記録する時に、現在時刻をその静止画の作成日としていたため、その静止画の撮影された本来の時刻とは異なってしまう問題があり、その画像たちを整理する場合に静止画ファイルの作成日データが役に立たない問題があった。
【００１０】
本発明はこのような課題を解決し、静止画ファイル内の画像データの撮影日時を正確に保存可能とする処にある。
【００１１】
【課題を解決するための手段】
前記課題を解決するため、本発明によれば、テープ状記録媒体から動画像信号と前記動画像信号が前記テープ状記録媒体に記録された日時を示す記録日時情報とを再生する再生手段と、指示手段と、前記指示手段の指示に応じて前記再生手段により再生された動画像信号より１フレームの画像信号を抽出して静止画ファイルを生成すると共に、前記抽出した１フレームの画像信号の記録日時情報を前記静止画ファイルの記録日時情報として付加する静止画ファイル生成手段と、前記静止画ファイル生成手段により生成された静止画ファイルをメモリ装置に記録する記録手段とを備える記録装置が提示される。
【００１２】
【発明の実施の形態】
以下、図面を用いて本発明の実施形態を説明する。
【００１３】
図１は本発明が適用されるＤＶＣ（デジタルビデオカムコーダ）の構成を示す図である。本形態のＤＶＣは磁気テープに加え、メモリカードに対して静止画ファイルを記録再生可能な機能を持つ。以下、図１のＤＶＣの基本的な動作について説明する。
【００１４】
まず、動画撮影時の動作について説明する。
【００１５】
撮像部１０１により得られた動画像信号は表示部１０２及び動画処理回路１０３に出力されている。この状態で操作部１０８により動画記録開始の指示があると、制御部１０７は動画処理回路１０３に対して制御信号を出力する。動画処理回路１０３は撮像部１０１からの動画像信号を記録フォーマットに従い符号化してその情報量を圧縮し、記録再生回路１０４に出力する。また、制御部１０７は現在日時の情報を内蔵タイマーより得、動画処理回路１０３に送る。動画処理回路１０３はこの日時情報を動画像信号に多重し、記録再生回路１０４に送る。
【００１６】
記録再生回路１０４は回転ヘッドによりテープＴ上に多数のトラックを形成し、この動画像信号および日時情報を各トラックの指定されたエリアに記録する。本形態では動画像信号の各フレームの撮影日時を示す日時情報を多数のトラック全ての指定されたエリアに記録している。
【００１７】
次に、動画再生時の動作について説明する。
【００１８】
操作部１０８により再生の指示があると、制御部１０７は記録再生回路１０４を制御してテープＴの搬送を開始し、テープＴより動画像信号と日時情報を再生する。再生された動画像信号は動画処理回路１０３に送られ、記録時に対応した復号処理が施され、表示部１０２に表示される。
【００１９】
次に、静止画撮影時の動作について説明する。
【００２０】
前述のように、記録待機時において、撮影部１０１からの動画像が表示部１０２に表示されている。この状態で操作部１０８により静止画撮影の指示があると、制御部１０７は静止画処理回路１０５に制御信号を出力する。静止画処理回路１０５はこの制御信号に応じて、撮像部１０１から出力されている動画像信号中の１フレームの画像信号を抽出し、内部のメモリに記憶する。そして、この１フレームの画像信号を記録フォーマットに従って符号化する。
【００２１】
このとき、制御部１０７は現在日時の情報を静止画処理回路１０５に出力する。静止画処理回路１０５はこの日時情報を符号化した１フレームの画像信号に付加して静止画ファイルを生成し、メモリＩ／Ｆ１０６に出力する。メモリＩ／Ｆ１０６はこの静止画ファイルをメモリカードＭに記録する。
【００２２】
次に、静止画再生時の動作について説明する。
【００２３】
操作部１０８によりメモリカードＭからの静止画再生の指示があると、制御部１０７はメモリＩ／Ｆ１０６を制御して指定された静止画ファイルをメモリカードＭから読み出し、静止画処理回路１０５に出力する。静止画処理回路１０５は再生された静止画ファイルの中の画像データを復号し、表示部１０２に出力する。
【００２４】
次に、本形態の特徴である、テープＴから再生された動画像信号から静止画を抽出し、静止画ファイルとしてメモリカードＭに記録する静止画キャプチャモード時の動作について説明する。
【００２５】
図２は静止画キャプチャモード時における制御部１０７の制御動作を示すフローチャートである。
【００２６】
静止画キャプチャモードにおいて、操作部１０８により再生開始の指示があると、制御部１０７は前述のように記録再生回路１０４及び動画処理回路１０３を制御し、テープＴから動画像信号を再生する。再生された動画像は表示部１０２に表示される（ステップＳ２０１）。
【００２７】
ユーザはこの再生画像を確認しながら、静止画像として記録したい画像が再生された時点で操作部１０８の取り込みキーを操作する（ステップＳ２０２）。取り込み指示があると、記録再生回路１０４を制御してテープの再生を停止し（ステップＳ２０３）、取り込み指示された時点で再生されていた１フレームの画像信号を動画処理回路１０３から静止画処理回路１０５に送り、その内部のメモリに記憶する（ステップＳ２０４）。
【００２８】
なお、本形態では、動画処理回路１０３により復号された画像信号を静止画処理回路１０５に送っているが、静止画処理回路１０５における符号化形式とテープＴから再生された画像信号の符号化形式が同じ場合には符号化されたままの状態で動画処理回路１０３から静止画処理回路１０５に送ることも可能である。
【００２９】
また、取り込まれた１フレームの画像信号に付加されていた日時情報を抽出し、これも動画処理回路１０３より静止画処理回路１０５に送る（ステップＳ２０５）。
【００３０】
そして、静止画処理回路１０５は抽出された１フレームの画像信号をフォーマットに従って符号化すると共に抽出された日時情報を付加して静止画ファイルを生成し、メモリＩ／Ｆ１０６を介してメモリカードＭに記録する（ステップＳ２０６）。
【００３１】
通常ファイルを記録する際は、現在時刻が作成日として使用されてしまうため、与えられた時刻を作成日として記録できれば問題がないが、与えられた時刻を作成日として設定できないシステムであった場合は、先ず現在時刻を得てそれをＴＭＰという変数にとっておく。次に与えられた時刻Ｄで現在時刻に設定する。そして、画像を記録する処理を普通に行うことで作成日を時刻Ｄとして記録し、また現在時刻を得て、そこから与えられた時刻Ｄを引くことで、画像に記録するのにかかった時間を得てＳａという変数に代入し、現在時刻をＴＭＰ＋Ｓａの時刻に設定することで元の時刻に戻せばよい。
【００３２】
現在時刻を得る関数をｇｅｔＣｕｒｒｅｎｔＴｉｍｅ（）として、時刻を設定する関数を設定したい時刻を引数とするＳｅｔＣｕｒｒｅｎｔＴｉｍｅ（設定したい時刻）という関数とすれば、上記処理をＣ言語風に記述すると以下のようになる。
【００３３】
ＴＭＰ＝ｇｅｔＣｕｒｒｅｎｔＴｉｍｅ（）；
ＳｅｔＣｕｒｒｅｎｔＴｉｍｅ（Ｄ）；
ここで、画像を記録する処理を行う。
【００３４】
Ｓａ＝ｇｅｔＣｕｒｒｅｎｔＴｉｍｅ（）−Ｄ；
ＳｅｔＣｕｒｒｅｎｔＴｉｍｅ（ＴＭＰ＋Ｓａ）；
このように、本形態によれば、テープからの再生動画像信号より１フレームを抽出して静止画像としてメモリカードに記録する際、動画像信号と共に再生された記録日時の情報を抽出し、そのまま静止画ファイルの記録日時情報として付加しているため、画像データの撮影日時を正確に保存することが可能となる。
【００３５】
次に、第２の実施形態について説明する。
【００３６】
前述の実施形態では、テープの再生画像から静止画を取り込んだ場合に再生画像に付加されていた日時情報をそのまま静止画ファイルに付加されていたが、従来のように現在日時の情報を付加するようユーザ設定することも可能である。
【００３７】
即ち、静止画記録の時の作成日付を、「撮影日時で記録」で行うか、「現在時刻で記録」のどちらで行うかをあらかじめ設定しておく。
【００３８】
このようにユーザ設定を行った場合における静止画キャプチャモード時の動作を図３のフローチャートを用いて説明する。
【００３９】
図３において、Ｓ３０１〜Ｓ３０４までの処理は図２のＳ２０１〜Ｓ２０４の処理と同じであるため説明は省略する。
【００４０】
Ｓ３０５において、日時の記録モードが「撮影日付で記録」かどうかを判断する。「撮影日付で記録」の場合、Ｓ３０６において取り込み指示されたフレームの日時データを抽出し、静止画処理回路１０８に送る。また、「現在時刻で記録」であった場合、Ｓ３０８において現在の日時情報を得、静止画処理回路３０８に出力する。
【００４１】
そして、Ｓ３０７において、静止画処理回路１０５は抽出された１フレームの画像信号をフォーマットに従って符号化すると共に、Ｓ３０６あるいはＳ３０８にて得られた日時情報を付加して静止画ファイルを生成し、メモリＩ／Ｆ１０６を介してメモリカードＭに記録する。
【００４２】
このように、従来どおりの現在時刻を静止画作成日とする方法と、ＤＶテープやディスクなどに記録されたデータから日付データを抽出して、それを静止画の作成日とする方法を切り替える処理を持つことで、本当にそのファイルが作られた日を重要視するユーザには従来方法を使えばよいし、ファイルの作成日から撮影日を判断したいユーザには本発明の方法を使うといったように、ユーザの目的に応じた対応ができる。
【００４３】
【発明の効果】
以上説明したように、本発明によれば、静止画ファイル内の画像データの撮影日時を正確に保存することができる。
【図面の簡単な説明】
【図１】本発明が適用されるカムコーダの構成を示す図である。
【図２】静止画キャプチャモード時の動作を示すフローチャートである。
【図３】静止画キャプチャモード時の動作を示すフローチャートである。
【図１】
2004072591.tif 000003
【図２】
2004072591.tif 000004
【図３】
2004072591.tif 000005